(57)【要約】【課題】廊下の突き当たりや居室の入り隅等の狭い空間であっても、洗面化粧台本体の横幅より広い間口を得ることができる出窓用洗面化粧台を提供する。【解決手段】外壁１より角部１１が突出した平面視三角形の出窓２を設け、角部１１を挟んだ一方の出窓平面１２に収納キャビネット３を設け、他方の出窓平面１３に窓１０を設け、他方の出窓平面１３と外壁１の接点を起点にして外壁１と略垂直な内壁８を設け、出窓２に洗面化粧台本体４を設け、洗面化粧台本体４に平面視四辺形のカウンター５を設け、カウンター５の外縁は出窓２と内壁８に沿っていて、残る一辺は外壁面に対して斜めになっていることを特徴とする出窓用洗面化粧台。【選択図】      図１
2004344392.tif 000002
【特許請求の範囲】
【請求項１】
外壁より角部が突出した平面視三角形の出窓を設け、角部を挟んだ一方の出窓平面に収納キャビネットを設け、他方の出窓平面に窓を設け、他方の出窓平面と外壁の接点を起点にして外壁と略垂直な内壁を設け、出窓に洗面化粧台本体を設け、洗面化粧台本体に平面視四辺形のカウンターを設け、カウンターの外縁は出窓と内壁に沿っていて、残る一辺は外壁面に対して斜めになっていることを特徴とする出窓用洗面化粧台。
【請求項２】
収納キャビネットの前面に扉を設け、扉の前面を鏡にしたことを特徴とする請求項１に記載の出窓用洗面化粧台。
【請求項３】
収納キャビネットの前面に回動可能な扉を設け、扉の後面を鏡にしたことを特徴とする請求項１に記載の出窓用洗面化粧台
【請求項４】
収納キャビネットの前面奥側に引戸を、前面手前側に回動可能な扉を設け、扉の回動軸を収納キャビネットの前面中程に設けたことを特徴とする請求項１又は３に記載の出窓用洗面化粧台。
【発明の詳細な説明】
【０００１】
【発明の属する技術分野】
本発明は、住宅における出窓用洗面化粧台の設置構造に関する。
【０００２】
【従来の技術】
従来より、廊下の突き当たりや居室の入り隅等に配置した出窓に、収納キャビネットを組み込んだ洗面化粧台本体を設けた出窓用洗面化粧台はあった。（例えば、特許文献１参照）
しかし、洗面化粧台本体を利用できる間口幅が洗面化粧台本体の横幅と略同じであるため、廊下の突き当たりや居室の入り隅等では窮屈になってしまうので、洗面化粧台本体を利用しにくいという問題があった。
【０００３】
【特許文献１】
実開平３−７６９８６号公報（第１、２項、図１、図３）
【０００４】
【発明が解決しようとする課題】
本発明は、上記の問題点を解消するためのもので、廊下の突き当たりや居室の入り隅等の狭い空間であっても、洗面化粧台本体の横幅より広い間口を得ることができる出窓用洗面化粧台を提供するものである。
【０００５】
【課題を解決するための手段】
本発明の請求項１記載の出窓用洗面化粧台は、外壁より角部が突出した平面視三角形の出窓を設け、角部を挟んだ一方の出窓平面に収納キャビネットを設け、他方の出窓平面に窓を設け、他方の出窓平面と外壁の接点を起点にして外壁と略垂直な内壁を設け、出窓に洗面化粧台本体を設け、洗面化粧台本体に平面視四辺形のカウンターを設け、カウンターの外縁は出窓と内壁に沿っていて、残る一辺は外壁面に対して斜めになっていることを特徴とする。
【０００６】
このものにあっては、外壁より角部が突出した平面視三角形の出窓を設け、角部を挟んだ一方の出窓平面に収納キャビネットを設け、他方の出窓平面に窓を設け、他方の出窓平面と外壁の接点を起点にして外壁と略垂直な内壁を設け、出窓に洗面化粧台本体を設け、洗面化粧台本体に平面視四辺形のカウンターを設け、カウンターの外縁は出窓と内壁に沿っていて、残る一辺に相当する洗面化粧台本体の前面が外壁面に対して斜めになっているので、廊下の突き当たりや居室の入り隅等の狭い空間であっても、洗面化粧台本体を利用できる開口幅を広くすることができ、洗面化粧台本体が使いやすくなる。
【０００７】
本発明の請求項２に記載の出窓用洗面化粧台は、請求項１に記載の出窓用洗面化粧台において、収納キャビネットの前面に扉を設け、扉の前面を鏡にしたことを特徴とする。
【０００８】
このものにあっては、収納キャビネットの前面に扉を設け、扉の前面を鏡にしているので、鏡を出窓の窓に取り付けて日光を遮ることなく鏡を取り付けることができる。
【０００９】
本発明の請求項３に記載の出窓用洗面化粧台は、請求項１に記載の出窓用洗面化粧台において、収納キャビネットの前面に回動可能な扉を設け、扉の後面を鏡にしたことを特徴とする。
【００１０】
このものにあっては、収納キャビネットの前面に扉を設け、扉の後面を鏡にしているので、鏡の角度を変えることができるようになり、鏡を覗き込んで見る必要がなくなる。
【００１１】
本発明の請求項４に記載の出窓用洗面化粧台は、請求項１又は３に記載の出窓用洗面化粧台において、収納キャビネットの前面奥側に引戸を、前面手前側に回動可能な扉を設け、扉の回動軸を収納キャビネットの前面中程に設けたことを特徴とする。
【００１２】
このものにあっては、前面手前側に回動可能な扉を設け、扉の回動軸を収納キャビネットの前面中程にしてあるので、鏡の角度を１８０度変えることができ、鏡を更に使いやすくすることができる。
【００１３】
【発明の実施の形態】
以後、本発明の実施形態を、図を用いて説明する。
【００１４】
図１乃至図３は、本発明の実施形態に係る出窓用洗面化粧台の実施例を示すものである。
【００１５】
洗面化粧台本体４は廊下の突き当たりに設けられていて、洗面化粧台本体４の上部には出窓２が取り付けられている。
【００１６】
出窓２は、角部１１が外壁１より突出し、平面視三角形となっていて、角部１１を挟んだ一方の出窓平面１２に収納キャビネット３を設けている。また、角部１１を挟んだ他方の出窓平面１３に窓１０を設けている。
【００１７】
収納キャビネット３は、前面に扉６を設けていて、扉６の前面に鏡１４を備えている。また、扉６は回動軸９を備えていて、扉６を回動させて開閉できるようになっている。
【００１８】
他方の出窓平面１３の端部と外壁１は接していて、他方の出窓平面１３と外壁１の接点を起点にして外壁１と略垂直に内壁８が設けられている。
【００１９】
出窓２には、洗面化粧台本体４が設けられていて、洗面化粧台本体４に平面視四辺形のカウンター５を設けている。カウンター５の外縁は、出窓２と内壁８に沿っていて、残る一辺に相当する洗面化粧台本体４の前面は、外壁面に対して斜めになっている。
【００２０】
本実施例では、洗面化粧台本体４の前面は、外壁１に対して約３０度斜めに配置されている。洗面化粧台本体４の前面が廊下の進行方向に対して斜めに配置されているので、例えば廊下幅が９５０ｍｍに対して、洗面化粧台本体４の前面の幅を１１００ｍｍにすることができるようになっている。
【００２１】
洗面化粧台本体４の下端の高さは、床面２１から３００ｍｍ以上になっている。また、出窓２の角部１１の先端は、外壁面より５００ｍｍ以上突出していない。
【００２２】
収納キャビネット３は洗面化粧台本体４の前面に対して略垂直に配置されている。他方の出窓平面１３に設けた窓１０の面積は、出窓２の面積の二分の一より大きくなっている。
【００２３】
このようにして、廊下の突き当たりや居室の入り隅等の狭い空間であっても、洗面化粧台本体４を利用できる開口幅を広くすることができ、洗面化粧台本体４が使いやすくなる。
【００２４】
また、収納キャビネットの前面に扉６を設け、扉６の前面を鏡１４にしているので、鏡１４を出窓２の窓１０に取り付けて日光を遮ることなく鏡１４を取り付けることができる。
【００２５】
尚、収納キャビネット３の扉６の後面に鏡１２を設け、扉６を収納キャビネット３の前面奥側の端部に回動軸９を設け、扉６を回動させても良い。この場合、鏡１２の角度を変化させることができるので、鏡１４を覗きこんで見る必要がなくなる。
【００２６】
図４は、本発明の実施形態に係る出窓用洗面化粧台の第二の実施例を示すものである。第一の実施例と同じものには同符号を付して省略する。本実施例において、第一の実施例と異なるものは、収納キャビネット３の前面奥側に引戸７を設け、収納キャビネット３の前面手前側に回動可能な扉６を設け、扉６の回動軸９を収納キャビネット３の前面中程に設けたことである。
【００２７】
本実施例において、引戸７を手前側に引いて、収納キャビネット３の中にある収納物を出し入れすることができる。また、扉６を回動させて収納物を出し入れすることができると共に、扉６の後面に鏡１４を設けているので、扉６を回動させて鏡１４の角度を自由に変えることができる。
【００２８】
したがって、前面手前側に回動可能な扉６を設け、扉６の回動軸９を収納キャビネット３の前面中程にしてあるので、鏡１４の角度を１８０度変えることができ、鏡１４を更に使いやすくすることができる。
【００２９】
尚、出窓用洗面化粧台は、廊下の突き当たりの他に、居室の入り隅等でも使用することができる。
【００３０】
【発明の効果】
以上の説明により、本発明の請求項１記載の出窓用洗面化粧台によると、このものにあっては、外壁より角部が突出した平面視三角形の出窓を設け、角部を挟んだ一方の出窓平面に収納キャビネットを設け、他方の出窓平面に窓を設け、他方の出窓平面と外壁の接点を起点にして外壁と略垂直な内壁を設け、出窓に洗面化粧台本体を設け、洗面化粧台本体に平面視四辺形のカウンターを設け、カウンターの外縁は出窓と内壁に沿っていて、残る一辺に相当する洗面化粧台本体の前面が外壁面に対して斜めになっているので、廊下の突き当たりや居室の入り隅等の狭い空間であっても、洗面化粧台本体を利用できる開口幅を広くすることができ、洗面化粧台本体が使いやすくなる。
【００３１】
本発明の請求項２に記載の出窓用洗面化粧台によると、収納キャビネットの前面に扉を設け、扉の前面を鏡にしているので、鏡を出窓の窓に取り付けて日光を遮ることなく鏡を取り付けることができる。
【００３２】
本発明の請求項３に記載の出窓用洗面化粧台によると、収納キャビネットの前面に扉を設け、扉の後面を鏡にしているので、鏡の角度を変えることができるようになり、鏡を覗き込んで見る必要がなくなる。
【００３３】
本発明の請求項４に記載の出窓用洗面化粧台によると、前面手前側に回動可能な扉を設け、扉の回動軸を収納キャビネットの前面中程にしてあるので、鏡の角度を１８０度変えることができ、鏡を更に使いやすくすることができる。
【図面の簡単な説明】
【図１】本発明の実施形態に係る出窓用洗面化粧台の実施例を示す斜視図である。
【図２】同上の出窓用洗面化粧台の実施例を示す平面図である。
【図３】同上の出窓用洗面化粧台の実施例の要部を示す平面図である。
【図４】本発明の実施形態に係る出窓用洗面化粧台の第二の実施例であって、要部を示す平面図である。
【符号の説明】
１      外壁
２      出窓
３      収納キャビネット
４      洗面化粧台本体
５      カウンター
６      扉
７      引戸
８      内壁
９      回動軸
１０    窓
１１    角部
１２    一方の出窓平面
１３    他方の出窓平面
１４    鏡
【図１】
2004344392.tif 000003
【図２】
2004344392.tif 000004
【図３】
2004344392.tif 000005
【図４】
2004344392.tif 000006